(57)【特許請求の範囲】
【請求項１】
商用電源の交流を所定の電圧の直流に変換するＡＣアダプタ(10)と、このＡＣアダプタ(10)に接続されて、ＡＣアダプタ(10)から電力が供給される電子機器(30)とを備える電源システムにおいて、
前記ＡＣアダプタ(10)は、それ自体の温度を検出する温度センサ(11)と、この温度センサ(11)で検出される温度で出力電圧を変化させる温度−電圧変換回路(12)とを備えており、
前記電子機器(30)は、ＡＣアダプタ(10)に接続される入力端子(33)に直列に接続しているスイッチング素子(31)と、このスイッチング素子(31)をオフに切り変えて、スイッチング素子(31)のオフ状態でＡＣアダプタ(10)からの入力電圧を検出して、検出する入力電圧でスイッチング素子(31)を制御する制御回路(32)とを備え、
前記電子機器(30)は、ＡＣアダプタ(10)の温度が高くなって、スイッチング素子(31)のオフ状態におけるＡＣアダプタ(10)からの入力電圧が設定電圧よりも低くなると、制御回路(32)がスイッチング素子(31)をオフに切り換えてＡＣアダプタ(10)からの入力電流を遮断するようにしてなる電源システム。
【請求項２】
商用電源の交流を所定の電圧の直流に変換するＡＣアダプタ(20)と、このＡＣアダプタ(20)に接続されて、ＡＣアダプタ(20)から電力が供給される電子機器(40)とを備える電源システムにおいて、
前記ＡＣアダプタ(20)は、それ自体の温度を検出する温度センサ(11)と、この温度センサ(11)で検出される温度で出力電流を変化させる温度−電流変換回路(22)とを備えており、
前記電子機器(40)は、ＡＣアダプタ(20)に接続される入力端子(33)に直列に接続しているスイッチング素子(31)と、ＡＣアダプタ(20)からの入力電流を検出して、検出する入力電流でスイッチング素子(31)を制御する制御回路(42)とを備え、
前記電子機器(40)は、ＡＣアダプタ(20)の温度が高くなって、ＡＣアダプタ(20)からの入力電流が設定電流よりも小さくなると、制御回路(42)がスイッチング素子(31)をオフに切り換えてＡＣアダプタ(20)からの入力電流を遮断するようにしてなる電源システム。
【請求項３】
前記電子機器(30)、(40)が、充電できる電池(34)と、この電池(34)をパルス充電する充電回路(35)とを備え、前記スイッチング素子(31)をオンオフに切り変えて電池(34)をパルス充電するようにしてなる請求項１または２に記載される電源システム。
【請求項４】
前記電子機器(30)、(40)が、内蔵する電池(34)で加温されるアンカである請求項１または２に記載される電源システム。
【請求項５】
前記電子機器が、電池の充電器である請求項１または２に記載される電源システム。
【発明の詳細な説明】
【技術分野】
【０００１】
本発明は、ＡＣアダプタから電子機器に電力を供給する電源システムに関し、とくに、ＡＣアダプタの温度が異常に高くなるとＡＣアダプタの電流を遮断する電源システムに関する。
【背景技術】
【０００２】
電子機器に電力を供給する電源回路であるＡＣアダプタは、電力を供給する状態で自己発熱する。入力される商用電力の一部を消費して直流電圧を出力するからである。ＡＣアダプタは、入力電力と出力電力との差電力を消費して自己発熱する。ＡＣアダプタは、発熱して温度が上昇し、放熱して温度が低下する。したがって、発熱量に対して放熱量が少なくなると温度が異常に高くなる。ＡＣアダプタは、使用環境によって放熱量が変化するが、全てのユーザーの全ての使用環境において、放熱量を発熱量よりも大きくはできない。たとえば、ＡＣアダプタが断熱性のシートで覆われるとき、放熱量が極めて制限されて、温度が異常に上昇することがある。ＡＣアダプタの温度上昇は、種々の弊害の原因となる。この弊害を防止するために、ＡＣアダプタの温度上昇を保護する技術が開発されている。（特許文献１ないし３参照）
【特許文献１】特開２００５−５１８７５号公報
【特許文献２】特開２０００−２０９７６８号公報
【特許文献３】特開２０００−７８８４９号公報
【発明の開示】
【発明が解決しようとする課題】
【０００３】
特許文献１は、ＡＣアダプタを電子機器から脱着できる構造とする。このＡＣアダプタは、温度が上昇して放熱する必要があるときに、電子機器から外して放熱する。持ち運ぶときは、ＡＣアダプタを電子機器に連結する。このＡＣアダプタは、温度が上昇したときに電子機器から外すので、ユーザーがＡＣアダプタの温度上昇を検知できない場合、温度がさらに上昇する欠点がある。このため、全てのユーザーが安心して種々の使用環境で使用できない欠点がある。
【０００４】
特許文献２は、ＡＣアダプタの入力ラインに、電流ヒューズを接続し、この電流ヒューズと直列に過熱時に短絡する温度ヒューズを接続している。温度ヒューズは、ＡＣアダプタの入力側に並列に接続している。この回路構成によると、ＡＣアダプタが過熱して温度ヒューズが短絡すると、電流ヒューズに電流を流して溶断する。このため、ＡＣアダプタの温度が異常に高くなると、ＡＣアダプタに商用電源が入力されなくなる。このため、ＡＣアダプタは動作しなくなって出力しなくなる。この回路構成は、ＡＣアダプタを異常な温度上昇から保護できるが、温度が異常に高くなるとＡＣアダプタの出力が遮断されることから、ＡＣアダプタを接続している電池内蔵機器側からは、ＡＣアダプタが接続されない状態にあるのか、あるいはＡＣアダプタが出力しない状態かを判別できない。
【０００５】
さらに、特許文献３は、ＡＣアダプタを接続している電子機器側でＡＣアダプタの温度を検出し、温度が異常に高い状態にあると、バスラインを介してＡＣアダプタに状態信号を伝送する。ＡＣアダプタは、電子機器側から入力される状態信号で出力電圧や電流を制御する。この回路構成は、ＡＣアダプタと電子機器とをバスラインで接続する必要があるので、回路構成が複雑になる。とくに、ＡＣアダプタは、正負の出力端子を電子機器に接続するコネクタを介して接続されることから、バスラインと正負の出力端子を接続する構造にあっては、コネクタとリード線との回路構成が複雑になって製造コストが高くなる欠点がある。
【０００６】
本発明は、以上の欠点を解決することを目的に開発されたものである。本発明の重要な目的は、全てのユーザーが種々の使用環境で使用してＡＣアダプタの温度上昇を確実に阻止して安全に使用できる電源システムを提供することにある。
また、本発明の他の大切な目的は、簡単な回路構成としながら、ＡＣアダプタの温度上昇を確実に防止できる電源システムを提供することにある。
【課題を解決するための手段】
【０００７】
本発明の電源システムは、前述の目的を達成するために以下の構成を備える。
本発明の請求項１の電源システムは、商用電源の交流を所定の電圧の直流に変換するＡＣアダプタ１０と、このＡＣアダプタ１０に接続されて、ＡＣアダプタ１０から電力が供給される電子機器３０とを備える。ＡＣアダプタ１０は、それ自体の温度を検出する温度センサ１１と、この温度センサ１１で検出される温度で出力電圧を変化させる温度−電圧変換回路１２とを備えている。電子機器３０は、ＡＣアダプタ１０に接続される入力端子３３に直列に接続しているスイッチング素子３１と、このスイッチング素子３１をオフに切り変えて、スイッチング素子３１のオフ状態でＡＣアダプタ１０からの入力電圧を検出して、検出する入力電圧でスイッチング素子３１を制御する制御回路３２とを備えている。電子機器３０は、ＡＣアダプタ１０の温度が高くなって、スイッチング素子３１のオフ状態におけるＡＣアダプタ１０からの入力電圧が設定電圧よりも低くなると、制御回路３２がスイッチング素子３１をオフに切り換えてＡＣアダプタ１０からの入力電流を遮断する。
【０００８】
本発明の請求項２の電源システムは、商用電源の交流を所定の電圧の直流に変換するＡＣアダプタ２０と、このＡＣアダプタ２０に接続されて、ＡＣアダプタ２０から電力が供給される電子機器４０とを備える。ＡＣアダプタ２０は、それ自体の温度を検出する温度センサ１１と、この温度センサ１１で検出される温度で出力電流を変化させる温度−電流変換回路２２とを備えている。電子機器４０は、ＡＣアダプタ２０に接続される入力端子３３に直列に接続しているスイッチング素子３１と、ＡＣアダプタ２０からの入力電流を検出して、検出する入力電流でスイッチング素子３１を制御する制御回路４２とを備えている。電子機器４０は、ＡＣアダプタ２０の温度が高くなって、ＡＣアダプタ２０からの入力電流が設定電流よりも小さくなると、制御回路４２がスイッチング素子３１をオフに切り換えてＡＣアダプタ２０からの入力電流を遮断する。
【０００９】
本発明の請求項３の電源システムは、電子機器３０、４０が、充電できる電池３４と、この電池３４をパルス充電する充電回路３５とを備え、スイッチング素子３１をオンオフに切り変えて電池３４をパルス充電する。
【００１０】
本発明の請求項４の電源システムは、電子機器３０、４０を、内蔵する電池３４で加温されるアンカとしている。また、本発明の請求項４の電源システムは、電子機器を、電池の充電器としている。
【発明の効果】
【００１１】
本発明の電源システムは、全てのユーザーが種々の使用環境で使用してＡＣアダプタの温度上昇を確実に阻止して安全に使用できる特徴がある。それは、本発明の請求項１の電源システムが、ＡＣアダプタ側では、それ自体の温度が高くなると出力電圧を低くし、電子機器側では、スイッチング素子をオフに切り変えてスイッチング素子のオフ状態で、ＡＣアダプタからの入力電圧を検出し、この状態でＡＣアダプタからの入力電圧が低いと、ＡＣアダプタの温度が高いと判定してスイッチング素子をオフに切り換えてＡＣアダプタの電流を遮断するからである。また、本発明の請求項２の電源システムにおいては、ＡＣアダプタ側で、それ自体の温度が高くなると出力電流を小さくし、電子機器側では、ＡＣアダプタからの入力電流を検出し、ＡＣアダプタからの入力電流が小さいと、ＡＣアダプタの温度が高いと判定してスイッチング素子をオフに切り換えてＡＣアダプタの電流を遮断するからである。
【００１２】
また、本発明は、以上の構成で、ＡＣアダプタの温度異常を検出するので、従来のようにＡＣアダプタと電子機器とをバスラインなどの信号ラインで接続する必要がなく、ＡＣアダプタと電子機器とを正負の電源ラインのみで接続して、ＡＣアダプタの異常な温度上昇時にＡＣアダプタの電流を遮断できる。このため、簡単な回路構成で、異常な温度になった状態でＡＣアダプタの電流を遮断できる。
【００１３】
また、本発明の請求項３の電源システムは、電子機器に内蔵される電池をパルス充電するためのスイッチング素子でもって、ＡＣアダプタの電流を遮断するので、ＡＣアダプタに電流を遮断する素子を設ける必要がない。電子機器側に内蔵されるパルス充電のためのスイッチング素子を併用して、ＡＣアダプタの温度が異常に上昇したときに電流を遮断できる。このため、電流を遮断するために専用のスイッチング素子を設ける必要がなく、さらに回路構成を簡単にできる。さらに、ＡＣアダプタの温度が異常に高いときには、電子機器側で電流を遮断するので、電池の充電が停止される状態においては、電池が満充電されたか、あるいはＡＣアダプタの温度異常かも判定できる。
【発明を実施するための最良の形態】
【００１４】
以下、本発明の実施例を図面に基づいて説明する。ただし、以下に示す実施例は、本発明の技術思想を具体化するための電源システムを例示するものであって、本発明は電源システムを以下のものに特定しない。
【００１５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
図１の回路図に示す電源システムは、商用電源の交流を所定の電圧の直流に変換するＡＣアダプタ１０と、このＡＣアダプタ１０に接続されてＡＣアダプタ１０から電力を供給する電子機器３０とを備える。電子機器３０は、充電できる電池３４と、この電池３４の充電回路３５を内蔵する機器、たとえばアンカや懐炉等である。とくに、アンカは、布団の中に入れて使用されることから、これに接続されるＡＣアダプタも布団の中で温度が高くなる確率が高くなる。したがって、ＡＣアダプタの温度が高くなるときに電流を遮断できる電源システムは、電子機器をアンカとする電源システムにおいて特に有効で、安全性を向上できる。また、電子機器を、電池を内蔵する機器とする電源システムは、電池をパルス充電するスイッチング素子をＡＣアダプタの電流を遮断する素子に併用することができるので、ＡＣアダプタの電流を遮断するために専用の素子を設ける必要がなく、回路構成を極めて簡単にできる。また、電池をパルス充電するために、スイッチング素子はオンオフに切り変えられるが、このスイッチング素子をオフにする状態でＡＣアダプタからの入力電圧を検出できる。したがって、本発明の電源システムは、電池を内蔵するアンカなどの電子機器にＡＣアダプタを接続する構成に最適であるから、電子機器を電池で加温されるアンカとする実施例を以下に詳述する。
【００１７】
ただし、本発明の電源システムは、電子機器をアンカに特定するものでなく、また、電池を内蔵する機器にも特定せず、電子機器は、たとえば、ラップトップコンピュータ、オーディオシステム、携帯電話、電池の充電器等とすることもできる。電池を内蔵しない電子機器にあっては、ＡＣアダプタから供給される電力を一時的に遮断して、遮断状態におけるＡＣアダプタからの入力電圧を検出する。電力を一時的に遮断する時間は、電子機器の動作に影響を与えない短い時間に設定される。この遮断時間は、電子機器の電源回路に内蔵される電解コンデンサーの静電容量が大きいと長くできるので、たとえば、１ｍｓｅｃ〜１００ｍｓｅｃに設定される。電子機器は、ＡＣアダプタの電力を遮断する状態、すなわちＡＣアダプタを無負荷とする状態で、ＡＣアダプタからの入力電圧が低いことを検出すると、ＡＣアダプタの電流を遮断する。
【００１８】
図１のＡＣアダプタ１０は、入力される商用電源を所定の電圧の直流に変換するＡＣ／ＤＣ変換回路１３と、それ自体の温度を検出する温度センサ１１と、この温度センサ１１で検出される温度で出力電圧を変化させる温度−電圧変換回路１２とを備えている。
【００１９】
ＡＣ／ＤＣ変換回路１３は、入力される交流を直流に整流するダイオード１５と、ダイオード１５で整流された脈流を平滑にする電解コンデンサーの平滑コンデンサー１６とからなる整流回路１４と、この整流回路１４から出力される直流を所定の電圧に降圧するＤＣ／ＤＣコンバータ１７とからなる。ＤＣ／ＤＣコンバータ１７は、温度−電圧変換回路１２を介して出力電圧を所定の周期でオンオフにスイッチングされるＦＥＴ１８のゲートにフィードバックして出力電圧を安定化している。このフィードバック回路は、出力電圧が設定電圧よりも高くなるとＦＥＴ１８のオン時間を短くして出力電圧を低くし、出力電圧が設定電圧よりも低くなるとＦＥＴ１８のオン時間を長くして出力電圧を高くして一定電圧とする。
【００２０】
温度センサ１１は、サーミスタである。サーミスタは温度で電気抵抗が変化して温度を検出する。温度センサ１１には、温度で電気抵抗が変化するサーミスタ以外の素子、たとえばＰＴＣやバリスタなども使用できる。この温度センサ１１は、ＡＣアダプタ１０の内部に配設されてケースの内部温度を検出し、あるいは温度が高くなる高温素子、たとえばダイオードやＦＥＴの温度を検出し、さらに、ＡＣアダプタ１０のケース温度を検出して、ＡＣアダプタ自体の温度を検出する。
【００２１】
温度−電圧変換回路１２は、温度センサ１１から入力される信号で出力電圧を変化させる。温度−電圧変換回路１２は、温度センサ１１で検出する検出温度が設定温度よりも高くなると、ＤＣ／ＤＣコンバータ１７の出力電圧を低下させる。したがって、この温度−電圧変換回路１２は、ＤＣ／ＤＣコンバータ１７の出力をコントロールするＦＥＴ１８のゲートに温度センサ１１の信号をフィードバックして、ＤＣ／ＤＣコンバータ１７の出力電圧を制御する。この温度−電圧変換回路１２が出力電圧を変化する特性を図２に示している。この図に示すように、温度−電圧変換回路１２は、温度センサ１１の検出温度が設定温度よりも高くなると出力電圧を低くするようにＡＣ／ＤＣ変換回路１３を制御する。ＡＣ／ＤＣ変換回路１３は、温度センサ１１の検出温度が設定温度よりも低い状態では出力電圧を一定の電圧に安定化するが、検出温度が設定温度よりも高くなると、温度−電圧変換回路１２からの信号で、出力電圧を低下させる。この温度−電圧変換回路１２は、温度センサ１１の検出温度が設定温度よりも高くなると、ＦＥＴ１８のオン時間を短く制御して、出力電圧を低下させる。温度−電圧変換回路１２が出力電圧を低下させる設定温度は、温度センサ１１が検出する検出部位によって変化する。たとえば、温度センサがケース温度を検出するＡＣアダプタにあっては、出力電圧を低下させる設定温度を約７０℃とする。ただし、この設定温度は、６０℃ないし８０℃とすることもできる。また、温度センサが高温素子であるダイオードやＦＥＴの温度を検出するＡＣアダプタにあっては、設定温度をさらに高く設定する。
【００２２】
図１の電子機器３０は、ＡＣアダプタ１０に接続される入力端子３３に直列に接続しているスイッチング素子３１と、このスイッチング素子３１をオフに切り変えて、スイッチング素子３１のオフ状態でＡＣアダプタ１０からの入力電圧を検出して、検出する入力電圧でスイッチング素子３１を制御する制御回路３２とを備える。さらに、図の電子機器３０は、充電できる電池３４と、この電池３４をパルス充電する充電回路３５とを備え、電池３４をパルス充電するスイッチング素子３６をＡＣアダプタ１０の電流を遮断するスイッチング素子３１に併用している。
【００２３】
電池３４は、リチウムイオン電池、ニッケル水素電池、ニッケルカドミウム電池などで、ケースに内蔵する負荷３７のヒーター３８に電力を供給して加温する。ヒーター３８はＰＴＣで、電池３４から供給される電力で加温されて、ケースの表面に設けている放熱プレート（図示せず）を加温する。
【００２４】
充電回路３５は、電池３４と入力端子３３との間に接続しているスイッチング素子３１と、このスイッチング素子３１を所定の周期でオンオフに切り換えて電池３４をパルス充電する制御回路３２とを備える。制御回路３２は、電池３４の満充電を検出するとスイッチング素子３１をオフに切り換え、オフ状態を保持して電池３４の充電を停止する。
【００２５】
さらに、制御回路３２は、スイッチング素子３１のオフ状態で、ＡＣアダプタ１０からの入力電圧を検出する。検出する入力電圧を設定電圧に比較する。制御回路３２は、スイッチング素子３１のオフ状態における入力電圧からＡＣアダプタ１０の温度異常を検出する。
【００２６】
図３は、スイッチング素子３１をオンオフに切り変える状態で、入力電圧が変化する状態を示している。ＡＣアダプタ１０の温度が正常であると、入力電圧は図の実線で示すように変化する。すなわち、スイッチング素子３１をオフに切り換えると、ＡＣアダプタ１０の電流が遮断されて、無負荷電圧となって上昇する。スイッチング素子３１がオンに切り換えられると、電池３４の電圧まで低下して、電池３４を充電する。
【００２７】
ＡＣアダプタ１０の温度が設定温度よりも高くなって異常温度になると、ＡＣアダプタ１０は出力電圧を低くする。したがって、ＡＣアダプタ１０の温度が異常に高くなる状態では、図３の鎖線で示すように、スイッチング素子３１をオフにするタイミングにおける入力電圧、すなわちＡＣアダプタ１０の出力電圧が低下する。このことから、制御回路３２は、スイッチング素子３１をオフにする状態で入力電圧を検出し、この検出電圧を設定電圧に比較して設定電圧よりも低いと、ＡＣアダプタ１０が異常に高い温度と判定して、スイッチング素子３１をオフに切り換えて、ＡＣアダプタ１０の電流を遮断する。制御回路３２がスイッチング素子３１をオフに切り換える設定電圧は、ＡＣアダプタ１０の温度が設定温度よりも高くなって低下する出力電圧に設定している。すなわち、ＡＣアダプタ１０は、設定温度よりも高くなって異常な温度になると、出力電圧を低下させるので、制御回路３２がこの出力電圧を検出すると、スイッチング素子３１をオフに切り換えるように、設定電圧を設定している。この状態において、スイッチング素子３１はオフ状態に保持される。したがって、ＡＣアダプタ１０の温度が異常に高くなって電流が遮断されると、電流の遮断状態に保持される。電流が遮断されたＡＣアダプタ１０は、発熱しなくなって温度が低下する。制御回路３２は、電池３４をヒーター３８に接続する電源スイッチ３９でリセットされ、あるいは別に設けたリセットスイッチでリセットされる。制御回路３２がリセットされた後、設定温度よりも低く冷却されたＡＣアダプタ１０が接続されると、制御回路３２は、電池３４のパルス充電を開始する。異常な温度になったＡＣアダプタ１０が接続されると、スイッチング素子３１をオフにする電圧が設定電圧よりも低くなるので、再びスイッチング素子３１をオフに保持して、ＡＣアダプタ１０の電流を遮断する。
【００２８】
さらに、本発明の電源システムは、ＡＣアダプタ側で、それ自体の温度が高くなると出力電流を小さく制御し、電子機器側では、ＡＣアダプタからの入力電流を検出して、検出される入力電流が設定電流よりも小さいと、ＡＣアダプタの温度が高いと判定してＡＣアダプタの電流を遮断することもできる。この電源システムを図４に示す。
なお、図４において、前述の図１に示す実施例と同じ構成要素については、同符号を付してその詳細な説明を省略している。
【００２９】
図４に示す電源システムは、ＡＣアダプタ２０が、温度センサ１１で検出される温度で出力電流を変化させる温度−電流変換回路２２を備えている。この温度−電流変換回路２２は、温度センサ１１から入力される信号で出力電流を変化させる。温度−電流変換回路２２は、温度センサ１１で検出する検出温度が設定温度よりも高くなると、ＤＣ／ＤＣコンバータ１７の出力をコントロールするＦＥＴ１８のゲートに温度センサ１１の信号をフィードバックして、ＤＣ／ＤＣコンバータ１７の出力電流を低下させる。この温度−電流変換回路２２が出力電流を変化する特性を図５に示している。この図に示すように、温度−電流変換回路２２は、温度センサ１１の検出温度が設定温度よりも高くなると出力電流を低くするようにＡＣ／ＤＣ変換回路１３を制御する。ＡＣ／ＤＣ変換回路１３は、温度センサ１１の検出温度が設定温度よりも低い状態では出力電流を一定の電流に安定化するが、検出温度が設定温度よりも高くなると、温度−電流変換回路２２からの信号で、出力電流を低下させる。この温度−電流変換回路２２は、温度センサ１１の検出温度が設定温度よりも高くなると、ＦＥＴ１８のオン時間を短く制御して、出力電流を低下させる。温度−電流変換回路２２が出力電流を低下させる設定温度は、たとえば、温度センサがケース温度を検出するＡＣアダプタにあっては、約７０℃とする。ただし、この設定温度は、６０℃ないし８０℃とすることもできる。
【００３０】
さらに、図のＡＣアダプタ２０は、ＡＣ／ＤＣ変換回路１３の出力電流を検出するために、ＡＣ／ＤＣ変換回路１３の出力側に電流検出部２４を備えている。図に示す電流検出部２４は、ＡＣ／ＤＣ変換回路１３と出力端子２３との間に直列に接続している電流検出抵抗２５を備えており、この電流検出抵抗２５の両端の電圧を温度−電流変換回路２２で検出している。電流検出部は、図示しないが、電流検出抵抗の両端の電圧をアンプで増幅し、アンプの出力をＡ／Ｄコンバータでデジタル値に変換して出力することもできる。電流検出抵抗２５は、出力電流に比例した電圧が発生するので、この電流検出抵抗２５の両端に発生する電圧を検出して出力電流を検出することができる。温度−電流変換回路２２は、電流検出抵抗２５の両端の電圧と、電流検出抵抗２５の抵抗値から、ＡＣ／ＤＣ変換回路１３の出力電流を検出する。
【００３１】
電子機器４０は、ＡＣアダプタ２０に接続される入力端子３３に直列に接続しているスイッチング素子３１と、ＡＣアダプタ２０からの入力電流を検出して、検出する入力電流でスイッチング素子３１を制御する制御回路４２を備える。この電子機器４０も、充電できる電池３４と、この電池３４をパルス充電する充電回路３５とを備え、電池３４をパルス充電するスイッチング素子３６をＡＣアダプタ２０の電流を遮断するスイッチング素子３１に併用している。充電回路３５は、制御回路４２でスイッチング素子３１を所定の周期でオンオフに切り換えて電池３４をパルス充電する。制御回路４２は、電池３４の満充電を検出するとスイッチング素子３１をオフに切り換え、オフ状態を保持して電池３４の充電を停止する。
【００３２】
さらに、制御回路４２は、ＡＣアダプタ２０からの入力電流を検出し、検出する入力電流を設定電流に比較して、入力電流からＡＣアダプタ２０の温度異常を検出する。図に示す電子機器４０は、ＡＣアダプタ２０からの入力電流を検出するために、充電回路３５の入力側に、電流検出部４４を備えている。図に示す電流検出部４４は、ＡＣアダプタ２０に接続される入力端子３３に直列に接続している電流検出抵抗４５を備えており、この電流検出抵抗４５の両端の電圧を制御回路４２で検出している。電流検出部は、図示しないが、電流検出抵抗の両端の電圧をアンプで増幅し、アンプの出力をＡ／Ｄコンバータでデジタル値に変換して出力することもできる。電流検出抵抗４５は、入力電流に比例した電圧が発生するので、この電流検出抵抗４５の両端に発生する電圧を検出して入力電流を検出することができる。制御回路４２は、電流検出抵抗４５の両端の電圧と、電流検出抵抗４５の抵抗値から、入力電流を検出する。
【００３３】
以上の電源システムは、ＡＣアダプタ２０の温度が設定温度よりも高くなって異常温度になると、ＡＣアダプタ２０が出力電流を小さくする。したがって、ＡＣアダプタ２０の温度が異常に高くなる状態では、ＡＣアダプタ２０からの入力電流が小さくなる。このことから、制御回路４２は、検出電流を設定電流に比較して、入力電流が設定電流よりも小さいと、ＡＣアダプタ２０が異常に高い温度と判定して、スイッチング素子３１をオフに切り換えて、ＡＣアダプタ２０の電流を遮断する。制御回路４２がスイッチング素子３１をオフに切り換える設定電流は、ＡＣアダプタ２０の温度が設定温度よりも高くなって小さく制御される出力電流に設定している。すなわち、ＡＣアダプタ２０は、設定温度よりも高くなって異常な温度になると、出力電流を小さくするので、制御回路４２がこの出力電流を検出すると、スイッチング素子３１をオフに切り換えるように、設定電流を設定している。この状態において、スイッチング素子３１はオフ状態に保持される。したがって、ＡＣアダプタ２０の温度が異常に高くなって電流が遮断されると、電流の遮断状態に保持される。
【００３４】
その後、ＡＣアダプタ２０の温度が低下すると、制御回路４２は、電池３４をヒーター３８に接続する電源スイッチ３９、あるいは別に設けたリセットスイッチでリセットされる。制御回路３２がリセットされた後、設定温度よりも低く冷却されたＡＣアダプタ２０が接続されると、制御回路４２は、電池３４のパルス充電を開始する。異常な温度になったＡＣアダプタ２０が接続されると、ＡＣアダプタ２０からの入力電流が設定電流よりも小さくなるので、再びスイッチング素子３１をオフに保持して、ＡＣアダプタ２０の電流を遮断する。
【図面の簡単な説明】
【００３５】
【図１】本発明の一実施例にかかる電源システムの概略構成図である。
【図２】温度−電圧変換回路が出力電圧を変化させる特性を示すグラフである。
【図３】スイッチング素子をオンオフに切り変える状態における入力電圧の変化を示す図である。
【図４】本発明の他の実施例にかかる電源システムの概略構成図である。
【図５】温度−電流変換回路が出力電流を変化させる特性を示すグラフである。
【符号の説明】
【００３６】
１０…ＡＣアダプタ
１１…温度センサ
１２…温度−電圧変換回路
１３…ＡＣ／ＤＣ変換回路
１４…整流回路
１５…ダイオード
１６…平滑コンデンサー
１７…ＤＣ／ＤＣコンバータ
１８…ＦＥＴ
２０…ＡＣアダプタ
２２…温度−電流変換回路
２３…出力端子
２４…電流検出部
２５…電流検出抵抗
３０…電子機器
３１…スイッチング素子
３２…制御回路
３３…入力端子
３４…電池
３５…充電回路
３６…スイッチング素子
３７…負荷
３８…ヒーター
３９…電源スイッチ
４０…電子機器
４２…制御回路
４４…電流検出部
４５…電流検出抵抗
【図１】
0005057928.tif 000002
【図２】
0005057928.tif 000003
【図３】
0005057928.tif 000004
【図４】
0005057928.tif 000005
【図５】
0005057928.tif 000006